(57)【要約】  【課題】利用者が作成した替え歌歌詞に基づき、そのカラオケ楽曲を任意のカラオケ演奏端末にて演奏できるようにすると共に、一般のカラオケ楽曲と同じように、その楽曲コードから利用者が替え歌を直接指定でき、また、モード切り替えといった特別な仕組みや機構が必要なく、当該替え歌のカラオケ楽曲を通常操作と同じように操作して演奏でき、さらに、替え歌の作成者以外の利用者がそのカラオケ楽曲を容易に演奏させてしまうようなことのないカラオケシステムの提供。  【解決手段】カラオケホスト装置と、当該ホスト装置と接続されたカラオケ演奏端末を主体とし、当該ホスト装置内に一般の楽曲コードと同じ形式で付された固有の楽曲コードを紐付けされた替え歌歌詞表示データを登録すると共に、任意のカラオケ演奏端末にて、利用者ＩＤが認識され、かつ、当該利用者が作成した替え歌歌詞表示データが登録されていた場合、その付された固有の楽曲コードの指定による演奏指示により、当該替え歌のカラオケ楽曲を演奏可能に制御するシステムを構築した。【選択図】図３
2005345559.tif 000002
【特許請求の範囲】
【請求項１】
カラオケホスト装置と、当該ホスト装置とネットワーク通信回線を介して接続され、利用者ＩＤの認識機能を有したカラオケ演奏端末を主体とし、利用者が作成した替え歌歌詞によるカラオケ楽曲の演奏ができるカラオケシステムであって、
（ア）前記カラオケホスト装置内には、利用者ＩＤ別に、所定のカラオケ楽曲に対応した当該利用者が作成した替え歌歌詞表示データが登録されており、
（イ）前記各替え歌歌詞表示データには、一般のカラオケ楽曲を特定するための楽曲コードと同じ形式で付された固有の楽曲コードが紐付けされ、
（ウ）任意の前記カラオケ演奏端末にて、任意の利用者ＩＤが認識され、かつ、当該利用者が作成した替え歌歌詞表示データが前記カラオケホスト装置内に登録されていた場合、前記固有の楽曲コードの指定による演奏指示により、前記替え歌歌詞表示データに基づいて歌詞表示されたカラオケ楽曲が演奏可能に制御されることを特徴とするカラオケシステム。
【請求項２】
任意の前記カラオケ演奏端末にて、任意の利用者ＩＤが認識され、かつ、当該利用者が作成した替え歌歌詞表示データが前記カラオケホスト装置内に登録されていた場合、前記利用者ＩＤおよび固有の楽曲コードの指定による演奏指示により、前記替え歌歌詞表示データに基づいて歌詞表示されたカラオケ楽曲が演奏可能に制御されることを特徴とする請求項１記載のカラオケシステム。
【請求項３】
任意の前記カラオケ演奏端末にて、任意の利用者ＩＤが認識され、かつ、当該利用者が作成した替え歌歌詞表示データが前記カラオケホスト装置内に登録されていた場合、任意のカラオケ楽曲の検索時には、前記替え歌歌詞のカラオケ楽曲およびその属性情報も表示されることを特徴とする請求項１ないし請求項２記載のカラオケシステム。
【発明の詳細な説明】
【技術分野】
【０００１】
本発明は、利用者が作成した替え歌歌詞表示データに基づいて歌詞表示されたカラオケ楽曲の演奏ができるカラオケシステムに関し、さらに詳しくは、一般のカラオケ楽曲を特定するための楽曲コードと同じ形式で付された固有の楽曲コードにて、替え歌を演奏指示できるカラオケシステムに関する。
【背景技術】
【０００２】
音楽好きの人で、替え歌を好んで作る人がいる。このような人の替え歌を作る動機付けとしては、有名な楽曲を対象にして替え歌を人に聴かせると「受けがよい」とか、歌詞の一部分を変更して楽しんだりするとか、あるいは、真剣に作詞を勉強するとか、といったものであるが、通常、替え歌とは口ずさむ程度のものであるが、これを本格的に伴奏音楽を伴って歌いたいという人も多々いる。このような欲求に応え、従来、カラオケシステムに替え歌機能を付与するための技術が想到されてきた。
【０００３】
例えば、特許文献１では、作成した歌詞情報を所定の選択指定手段をもって表示するように指定することで、表示切換手段を利用して選択的に替え歌歌詞を表示する技術が開示されている。また、特許文献２では、歌詞表示の中の固有名詞を利用者が所望する固有名詞に置き換える技術が開示されている。さらに、特許文献３では、替え歌の色替え制御情報を容易に変更でき、カラオケ演奏端末の設置場所でなくても替え歌を編集できる技術が開示されている。そして、特許文献４では、カラオケ演奏端末が設置されていない自宅などで替え歌の編集を行うことができ、しかも、編集した替え歌を簡単に利用することができる通信カラオケシステムが開示されている。
【特許文献１】特開平２−１１５５５３号公報
【特許文献２】特開平１０−２６９９１号公報
【特許文献３】特開平１１−３４４９８７号公報
【特許文献４】特開２０００−３９８９３号公報
【０００４】
このように、利用者が作成した替え歌歌詞に基づき、これをカラオケ楽曲として演奏させる技術については様々な切り口で開発されており、現在では、替え歌歌詞の作成や作成された歌詞のカラオケ演奏への組み入れについては、十分に実施可能な技術水準にある。しかしながら、利用者が作成した替え歌を演奏させる際のプロセスについては現在でも不都合がある。例えば、替え歌に対しては、一般のカラオケ楽曲のように固有の楽曲コードは付与されておらず、元歌の楽曲コードに含められて管理されているため、その楽曲コードから利用者が替え歌を直接特定することはできない。さらに、元歌と替え歌とのモード切り替えという特別な仕組みや機構が必要であったり、また、このモード切り替え操作自体が一般的でないので、利用者が間違ったり利用者にとって面倒であったりする。
【発明の開示】
【発明が解決しようとする課題】
【０００５】
そこで、本発明は上記不都合の解決を課題とし、具体的には、利用者が作成した替え歌歌詞に基づき、そのカラオケ楽曲を任意のカラオケ演奏端末にて演奏できるようにすると共に、一般のカラオケ楽曲と同じように、その楽曲コードから利用者が替え歌を直接指定でき、また、モード切り替えといった特別な仕組みや機構が必要なく、当該替え歌のカラオケ楽曲を通常操作と同じように操作して演奏でき、さらに、替え歌の作成者以外の利用者がそのカラオケ楽曲を容易に演奏させてしまうようなことのないカラオケシステムの提供を課題とする。
【課題を解決するための手段】
【０００６】
上記課題を鑑み、本発明者は、カラオケホスト装置と、当該ホスト装置と接続されたカラオケ演奏端末を主体とし、当該ホスト装置内に、一般の楽曲コードと同じ形式で付された固有の楽曲コードを紐付けされた替え歌歌詞表示データを登録すると共に、任意のカラオケ演奏端末にて、利用者ＩＤが認識され、かつ、当該利用者が作成した替え歌歌詞表示データが登録されていた場合、その付された固有の楽曲コードの指定による演奏指示により、当該替え歌のカラオケ楽曲を演奏可能に制御するシステムを構築することにより、上記課題を解決できることを見出し、本発明の替え歌演奏機能を有するカラオケシステムを想到した。
【０００７】
すなわち、本発明の請求項１記載のカラオケシステムは、カラオケホスト装置と、当該ホスト装置とネットワーク通信回線を介して接続され、利用者ＩＤの認識機能を有したカラオケ演奏端末を主体とし、利用者が作成した替え歌歌詞によるカラオケ楽曲の演奏ができるカラオケシステムであって、
（ア）前記カラオケホスト装置内には、利用者ＩＤ別に、所定のカラオケ楽曲に対応した当該利用者が作成した替え歌歌詞表示データが登録されており、
（イ）前記各替え歌歌詞表示データには、一般のカラオケ楽曲を特定するための楽曲コードと同じ形式で付された固有の楽曲コードが紐付けされ、
（ウ）任意の前記カラオケ演奏端末にて、任意の利用者ＩＤが認識され、かつ、当該利用者が作成した替え歌歌詞表示データが前記カラオケホスト装置内に登録されていた場合、前記固有の楽曲コードの指定による演奏指示により、前記替え歌歌詞表示データに基づいて歌詞表示されたカラオケ楽曲が演奏可能に制御されることを特徴とする。
【０００８】
さらに、本発明の請求項２記載のカラオケシステムは、請求項１記載のカラオケシステムにおいて、任意の前記カラオケ演奏端末にて、任意の利用者ＩＤが認識され、かつ、当該利用者が作成した替え歌歌詞表示データが前記カラオケホスト装置内に登録されていた場合、前記利用者ＩＤおよび固有の楽曲コードの指定による演奏指示により、前記替え歌歌詞表示データに基づいて歌詞表示されたカラオケ楽曲が演奏可能に制御されることを特徴とする。
【０００９】
そして、本発明の請求項３記載のカラオケシステムは、請求項１記載ないし請求項２記載のカラオケシステムにおいて、任意の前記カラオケ演奏端末にて、任意の利用者ＩＤが認識され、かつ、当該利用者が作成した替え歌歌詞表示データが前記カラオケホスト装置内に登録されていた場合、任意のカラオケ楽曲の検索時には、前記替え歌歌詞のカラオケ楽曲およびその属性情報も表示されることを特徴とする。
【発明の効果】
【００１０】
本発明の請求項１記載のカラオケシステムによれば、利用者ＩＤ別に、所定のカラオケ楽曲に対応した当該利用者が作成した替え歌歌詞表示データが登録されており、利用者が作成した替え歌歌詞に基づき、そのカラオケ楽曲を任意のカラオケ演奏端末にて演奏できるようにすると共に、各替え歌歌詞表示データには、一般のカラオケ楽曲を特定するための楽曲コードと同じ形式で付された固有の楽曲コードが紐付けされ、一般のカラオケ楽曲のように、その楽曲コードから利用者が替え歌を直接指定でき、また、特別な仕組みや機構が必要なく、当該替え歌のカラオケ楽曲を通常操作と同じように操作して演奏でき、さらに、利用者ＩＤが認識され、当該利用者が作成した替え歌歌詞表示データが登録されていた場合に限って演奏可能となるため、任意のカラオケ演奏端末にて、替え歌の作成者が不在な状況下での、当該作成者以外の利用者が、その替え歌のカラオケ楽曲を安易に演奏させてしまうようなことがないなどといった効果を奏する。
【００１１】
さらに、本発明の請求項２記載のカラオケシステムによれば、任意の利用者ＩＤが認識され、当該利用者が作成した替え歌歌詞表示データが登録されていた場合、その利用者ＩＤおよび固有の楽曲コードの指定による演奏指示により、その替え歌のカラオケ楽曲が演奏可能となるため、任意のカラオケ演奏端末にて、替え歌の作成者が在席したとしても、当該作成者以外の利用者が、その替え歌のカラオケ楽曲を安易に演奏させてしまうようなことがないといった効果を奏する。
【００１２】
そして、本発明の請求項３記載のカラオケシステムによれば、任意の利用者ＩＤが認識され、当該利用者が作成した替え歌歌詞表示データが登録されていた場合、任意のカラオケ楽曲の検索時には、替え歌歌詞のカラオケ楽曲およびその属性情報も表示されるため、利用者は、通常の検索操作によって容易に検索でき、当該替え歌のカラオケ楽曲についての属性情報を得て、これを確認して演奏指示できるといった効果を奏する。
【発明を実施するための最良の形態】
【００１３】
以下、本発明のカラオケシステムについての最適な実施例を挙げて、本発明を説明するが、ここで、先ず、図１に示す、本発明のカラオケシステムのネットワーク構成図と、図２に示す、本発明のカラオケシステムを構成するカラオケ演奏端末のブロック構成図に基づき、請求項１記載の枕詞について詳述する。
【実施例１】
【００１４】
図１は本発明のカラオケシステムのネットワーク構成図である。本実施例のカラオケシステム（１）は、カラオケホスト装置（Ｈ）と、当該ホスト装置（Ｈ）とネットワーク通信回線（Ｎ）を介して通信可能に接続され、利用者ＩＤの認識機能を有したカラオケ演奏端末（Ｐ，Ｐ…）を主体としてなる。詳しくは、先ず、カラオケホスト装置（Ｈ）には、多数のカラオケ楽曲データが楽曲コード別に格納されている楽曲データベース（ＤＢ）が設けられ、個々のデータには楽曲データと歌詞表示データとが記録されている。楽曲データとは、ＭＩＤＩ形式で表現されたカラオケ伴奏音楽の起源となるデータで、一方、歌詞表示データとは、カラオケ楽曲に同期して表示される歌詞テロップの起源となるデータである。この歌詞表示データは、歌詞を構成する各歌詞文字を所定のコードで表記した歌詞文字情報と、各歌詞文字の表示位置や文字フォント、文字タイプ（イタリック・ボールド等）を指定する表示レイアウト情報と、各歌詞文字の色変え開始時刻と色変え終了時刻とを伴奏音楽の再生開始時点からの累積時間で表記した色変え制御情報と、歌詞テロップとして表示された歌詞の色変え制御情報と、歌詞文字の表示・消去時期を規定する表示消去タイミング情報とを含んで構成されている。
【００１５】
次に、図２は本発明のカラオケシステムを構成するカラオケ演奏端末のブロック構成図である。本実施例におけるカラオケ演奏端末（Ｐ）は、装置全体の動作を制御する中央制御手段（ＣＰＵ：１０）と、これに接続された各種機器で構成され、この中央制御手段（１０）には、ハードディスク（１１）、ＲＡＭ（１２）、音源（シンセサイザ：１３）、ミキサ（エフェクタ：１４）、ボーカルアダプタ（１９）、ＭＰＥＧデコーダ（２０）、合成回路（２１）、リモコン装置（２３）、利用者ＩＤが付されたＩＣカードの読み取り／書き込み装置（Ｒ／Ｗ：３７）などが接続されている。また、ハードディスク（１１）には、上記楽曲データ（３２）や歌詞表示データ（３３）の他、ディスプレイ装置（２２）に背景映像を表示するための背景映像データ（３４）などを記録している。
【００１６】
ここで、各機能手段について少々説明する。通信制御手段（２４）は、ＡＤＳＬ回線、ＩＳＤＮ回線、一般電話回線などのネットワーク通信回線を介して行われるカラオケホスト装置との通信を制御するためのものである。また、利用者ＩＤ管理手段（２５）は、利用者ＩＤが付されたＩＣカードの読み取り／書き込み装置（３７）にて認識された利用者のＩＤを、そのログインからログオフまでを統括管理するもので、この管理手段（２５）によって、一度、その利用者ＩＤをもってログインした利用者が所定の操作処理をした場合、その利用者が特定される。なお、利用者ＩＤの認識については、ＩＣカードを用いることに限らず、例えば、パスワードの入力や指紋や声紋などの生体識別機能に依るものであっても構わない。
【００１７】
次に、音声生成プロセスについて説明する。音源（１３）は、中央制御手段（１０）が実行する楽曲シーケンサ（３１）の処理によって入力された楽曲データに応じて楽音信号を形成する。形成された楽音信号はミキサ（１４）に入力され、このミキサ（１４）は、音源（１３）が発生した複数の楽音信号やカラオケマイク（１７）と、Ａ／Ｄコンバータ（１８）を介して入力された歌唱者の歌唱音声信号を適当なバランスでミキシングする。ミキシングされたデジタル音声信号はサウンドシステム（ＳＳ：１５）に入力される。このサウンドシステム（１５）はパワーアンプを備え、入力されたデジタル信号をアナログ信号に変換して増幅し、スピーカ（１６）から楽音と歌唱音声を放音する。また、Ａ／Ｄコンバータ（１８）によってデジタル信号に変換された歌唱音声信号は、ボーカルアダプタ（１９）にも入力され、このボーカルアダプタ（１９）から採取された歌唱音声信号の歌唱周波数により歌唱力の自動採点などが行われる。
【００１８】
ハードディスク（１１）に記録されている背景映像データ（３４）は、ＭＰＥＧ２形式にエンコードされており、中央制御手段（１０）が実行する背景映像再生手段（３０）により再生処理を行い、これを読み出してＭＰＥＧデコーダ（２０）に入力する。このＭＰＥＧデコーダ（２０）は、入力されたＭＰＥＧデータをＮＴＳＣの映像信号に変換して合成回路（２１）に入力し、この合成回路（２１）は、この背景映像の映像信号上に歌詞テロップや採点表示などのＯＳＤを合成し、合成された映像信号はディスプレイ装置（２２）に表示される。
【００１９】
リモコン装置（２３）は利用者インタフェイスやリモコン信号送信回路などからなり、利用者の操作に応じた操作信号を中央制御手段（１０）に入力する。この中央制御手段（１０）は、操作入力処理手段（３１）によって、この操作信号を検出し、対応する処理を行う。例えば、リモコン装置（２３）にて楽曲コードが入力されると、これを操作入力処理手段（３１）が検出し、カラオケ楽曲のリクエストであるとしてシーケンサ（２６）に伝達する。このシーケンサ（２６）は、これに応じて、この楽曲コードで識別される楽曲データをハードディスク（１１）の楽曲データ記憶エリア（３２）から読み出す。また、このシーケンサ（２６）は主に楽曲シーケンサ（２７）、歌詞シーケンサ（２８）からなっており、楽曲シーケンサ（３１）は楽曲データ中の演奏データトラック、ガイドメロディトラックなどのトラックデータを読み出し、このデータで音源（１３）を制御することでカラオケ楽曲の演奏を行い、一方、歌詞シーケンサ（３２）は文字パターン作成手段（２９）を備えており、楽曲データ中の歌詞トラックのデータを読み出し、このデータに基づいて歌詞テロップの画像パターンを作成し、これを合成回路（２１）に出力する。
【００２０】
次に、図３に示す、本発明のカラオケシステムを構成するカラオケホスト装置のブロック構成図と、図４に示す、替え歌楽曲管理テーブルの概念的構成図に基づき、請求項１記載の（ア）と（イ）の構成について詳述する。
【００２１】
先ず、図３に示すように、本実施例におけるカラオケホスト装置（Ｈ）は、ネットワーク通信回線（Ｎ）を介してカラオケ演奏端末（Ｐ）と接続されており、各種情報が通信制御手段（４２）を窓口として送受信される。このカラオケホスト装置（Ｈ）内には、大容量のハードディスク（４３）が設置され、前述したように、一般の楽曲データベースに加え、「替え歌情報管理ファイル」（４４）が設けられ、この管理ファイル（４４）には、利用者ＩＤ（４４ａ）別に、所定のカラオケ楽曲の楽曲コード（４４ｂ）に対応した当該利用者が作成した替え歌歌詞表示データ（４４ｃ）が登録されている。さらに、各替え歌歌詞表示データには、一般のカラオケ楽曲を特定するための楽曲コードと同じ形式で付された固有の楽曲コードが紐付けされており、これらは「替え歌楽曲管理テーブル」（Ｔ）にて管理されている。
【００２２】
ここで、替え歌歌詞表示データの登録方法について例示する。本実施例では、ホスト装置（Ｈ）は、ＷＷＷ（World Wide Web）サーバ（Ｓ）に接続している。このＷＷＷサーバ（Ｓ）はインターネット回線（ＩＮ）に接続可能で、これをもって替え歌歌詞表示データ（４４ｃ）の編集機能を提供する。このサーバ（Ｓ）は替え歌情報管理ファイル（４４）と連絡しており、この管理ファイル（４４）に対して、適宜、替え歌歌詞表示データ（４４ｃ）を読み書きする。先ず、利用者は、利用者端末であるモバイル端末（ＭＰ）やパソコン端末（ＰＣ）などを操作して、サーバ（Ｓ）の所定のＵＲＬの専用サイトにアクセスする。サーバ（Ｓ）は利用者端末から送られてくるアクセス要求を受信すると、利用者ＩＤと楽曲コードの記入欄が設けられた「替え歌登録画面」（図示省力）を送出する。
【００２３】
すると、利用者端末には、サーバ（Ｓ）から送られてきた替え歌登録画面が受信され表示される。利用者がディスプレイに表示されている替え歌登録画面に利用者ＩＤと楽曲コードを記入した後に所定の入力操作を行うと、その利用者ＩＤおよび楽曲コードがサーバ（Ｓ）に送出される。サーバ（Ｓ）に利用者ＩＤおよび楽曲コードが受信されたことをカラオケホスト装置（Ｈ）が認識すると、中央制御手段（４１）は、当該楽曲コードに対応する元歌の歌詞表示データを取り出し、この元歌歌詞表示データを用いて「替え歌編集画面」（図示省略）を作成し、これを利用者端末に送出する。利用者端末は、サーバ（Ｓ）から送られてくる替え歌編集画面を受信し、これを表示しながら、利用者との間の対話処理により、替え歌歌詞表示データの編集作業を進める。替え歌の編集が終了すると、サーバ（Ｓ）に編集された替え歌歌詞表示データが送出される。ホスト装置（Ｈ）は、この替え歌歌詞表示データを取得して、替え歌情報管理ファイル（４４）に登録する。
【００２４】
この替え歌編集画面には、ＣＧＩなどの所定のプログラム言語によって作成された補助プログラムが付帯しており、替え歌の進行は替え歌編集画面とこの補助プログラムを中心に進められる。また、替え歌編集画面には元歌歌詞表示データの歌詞文字列情報および表示レイアウト情報に従ってブロック単位で並べられた元歌歌詞文字列が表示されている。利用者はこの編集画面に対し、操作入力装置により編集したい歌詞文字部分を選択し、所定の操作入力手段により入力欄に替え歌の歌詞文字を入力する。また、この時に各歌詞文字に文字フォントや文字タイプなどの表示レイアウト情報も合わせて指定することができる。
【００２５】
さらに、補助プログラムは、入力された歌詞文字列に対応する色変え制御情報を自動生成する。例えば、各歌詞文字の色変え開始時刻および色変え終了時刻を、元歌の歌詞文字の色変え開始時刻および色変え終了時刻を、替え歌の歌詞文字列を構成する各歌詞文字に均等に割り当て直すことで替え歌の歌詞文字列に対応する色変え制御情報を生成する。なお、利用者自身が色変え制御情報を調節することも可能で、この場合は、利用者が編集画面上で元歌歌詞の歌詞文字と替え歌歌詞の歌詞文字とを、所定のポインタにより対応付けし、この対応付けに基づいて色変え制御情報を生成する。編集が終了し、替え歌編集画面の記入内容から抽出した替歌の歌詞文字情報、表示レイアウト情報、および生成した色変え制御情報をそれぞれ元歌歌詞表示データに反映させることで、これと同一データ形式の替え歌歌詞表示データが編成される。
【００２６】
なお、本発明は上記実施例に限らず、例えば、上記「替え歌登録画面」と「替え歌編集画面」とを、各カラオケ演奏端末（Ｐ）が付帯するリモコン装置に設けられているＧＵＩ（Graphic
User Interface）環境を提供しているタッチセンサ方式の操作パネルをもって表示することもでき、利用者は、その表示画面（図示省略）をもって、カラオケホスト装置（Ｈ）とカラオケ演奏端末（Ｐ）間で、上記と同様な手順をもって替え歌の登録と編集をすることができる。勿論、この構成であれば、インターネット接続できるモバイル端末やパソコン端末は必要ない。
【００２７】
カラオケホスト装置（Ｈ）内には、替え歌を登録した時点で、替え歌楽曲管理テーブル（Ｔ）に所定の情報が記録される。図４は替え歌楽曲管理テーブルの概念的構成図であるが、その主な構成要素としては、替え歌の作成者を特定する「利用者ＩＤ」フィールド（ｆ１）、替え歌の対象となるカラオケ楽曲を楽曲コードで特定する「元歌楽曲コード」フィールド（ｆ２）、その元歌楽曲コードと同じ形式で付された替え歌の固有の楽曲コードを示す「替え歌楽曲コード」フィールド（ｆ３）と、さらに、本実施例では、例えば、替え歌の完成を示し、任意のカラオケ演奏端末で演奏可能を設定するフラグを立てるための「設定フラグ」フィールド（ｆ４）、その設定日時を示す「設定日時」フィールド（ｆ５）などからなる。すなわち、本実施例では、替え歌が完成していない状態であっても登録でき、登録後であっても、随時、替え歌の変更や修正ができ、また、利用者自身のフラグ設定により、演奏不可を決めることもできる。なお、このフラグ設定も上記替え歌編集画面にて行うことができる。
【００２８】
以下、図５に示す、検索表示画面と楽曲コードによる演奏指示画面、図６に示す、別の実施例における検索表示画面と楽曲コードによる演奏指示画面、図７に示す、さらに別の実施例における検索表示画面、および、図８に示す、検索結果表示画面と替え歌楽曲の属性情報表示および演奏指示画面に基づき、請求項１記載の（ウ）の構成と、請求項２および請求項３記載の構成について詳述する。
【００２９】
図５〜図８に示すＤ１〜Ｄ８は、各カラオケ演奏端末が付帯するリモコン装置に設けられているＧＵＩ操作パネルにおける表示画面で、利用者はこの表示画面で検索情報などを見られるのと同時に入力操作もできる。先ず、図５のＤ１はカラオケ楽曲の検索メニュー画面であって、「新譜」、「歌手名」、「曲名」といった様々な検索ジャンルで指定できる「検索ジャンル指定」アイコン（５０）や、その他の操作用アイコン（５１）などが表示される。カラオケ楽曲を、その楽曲コードで検索するためには、「リモコン」アイコン（５０ａ）を選択する。すると、Ｄ２に示すように、テンキー（５２）を付帯した楽曲コード指定画面が表示され、利用者はこのテンキー（５２）を用い、楽曲コード入力部（５３）に楽曲コードを指定入力し、これを「転送」アイコン（５４）にてカラオケ演奏端末に転送すると、その楽曲コードは予約登録手段の待ち行列に組み込まれ、シークエンス処理により演奏可能に制御される。この時、利用者ＩＤが認識されており、かつ、当該利用者が作成した替え歌歌詞表示データがカラオケホスト装置の内に登録されていた場合、その固有の楽曲コードの指定を、これと同様な手順にて行えば、通常の手順で演奏可能に制御される。
【実施例２】
【００３０】
図６に示す、Ｄ３およびＤ４は、本発明の別の実施例におけるカラオケ楽曲の検索表示画面と楽曲コードによる演奏指示画面である。本実施例では、利用者が任意のカラオケ演奏端末において、利用者ＩＤにてログインすると、Ｄ３に示す、利用者ＩＤ指定画面において、その「利用者ＩＤ指定」アイコン（５５）に、個々の利用者の顔写真と共に利用者ＩＤが登録される。利用者は「利用者自身」アイコン（５５ａ）を選択して自らの利用者ＩＤを指定してから、替え歌のカラオケ楽曲に付された固有の楽曲コードの指定すれば、当該カラオケ楽曲が演奏可能に制御される。なお、この利用者ＩＤ指定画面には、「ログアウト」アイコン（５７）や「ログイン」アイコン（５６）なども設けられており、この表示画面から、随時、利用者ＩＤのログアウトや別の利用者のログイン手続きが可能となっている。
【００３１】
また、Ｄ４は上記Ｄ２の楽曲コード指定画面とほぼ同じ構成であるが、このＤ４の表示画面には、楽曲コード入力部（５３）に利用者ＩＤを示す会員番号を指定するための「会員番号」アイコン（５８）と楽曲コードを指定するための「楽曲コード」アイコン（５９）が併設され、利用者が作成した替え歌歌詞表示データが登録されていた場合、これらアイコンを用いて、利用者ＩＤおよび固有の楽曲コードを指定すると、具体的には、利用者ＩＤを指定した後、続けて楽曲コードを指定したり、または、その逆の手順で指定し、これらをカラオケ演奏端末に転送すると、替え歌のカラオケ楽曲が演奏可能に制御される。
【実施例３】
【００３２】
さらに、図７に示す、Ｄ５およびＤ６は、本発明のさらに別の実施例におけるカラオケ楽曲の検索表示画面である。本実施例では、先ず、Ｄ５は、図５のＤ１に示したカラオケ楽曲の検索メニュー画面と同じものであって、ここでは、カラオケ楽曲を、その曲名で検索するために、「曲名」アイコン（５０ｂ）を選択する。すると、Ｄ６に示すように、仮名文字にて曲名を入力する仮名文字指定キー列（６０）を付帯した曲名指定画面が表示され、利用者は、この仮名文字指定キー列（６０）を用い、曲名入力部（６１）に曲名の全文字ないし部分文字を指定入力し、指定入力した後、「さがす」アイコン（６２）を選択すると、図８のＤ７に示す、その検索結果表示画面には、対応するカラオケ楽曲の曲名とアーティスト名が記載された検索結果情報（６３）が表示される。
【００３３】
利用者が作成した替え歌歌詞表示データが登録されていた場合、この検索結果情報（６３）には、元歌のカラオケ楽曲の検索結果アイコン（６３ａ）と共に、替え歌のカラオケ楽曲の検索結果アイコン（６３ｂ）も併設して表示され、後者が替え歌バージョンである旨の表記も付帯される。そして、利用者が後者の検索結果アイコン（６３ｂ）を選択すると、Ｄ８に示す、替え歌楽曲の属性情報表示および演奏指示画面が表示される。この表示画面には属性情報欄（６４）が設けられ、これには、替え歌楽曲を特定する「楽曲コード」カラム（６４ａ）、元歌の曲名を示す「曲名」カラム（６４ｂ）、元歌のアーティスト名を示す「歌手名」カラム（６４ｃ）、替え歌の作詞者を特定する「替歌作詞者」カラム（６４ｄ）など記載される。利用者は、この表示画面の内容を確認し、「転送」アイコン（６５）を選択し、所定のカラオケ演奏端末へ転送すると、当該演奏端末では演奏可能に制御される。
【００３４】
以上、詳述したように、本発明のカラオケシステムによれば、利用者が作成した替え歌歌詞に基づき、そのカラオケ楽曲を任意のカラオケ演奏端末にて演奏できると共に、各替え歌歌詞表示データには、一般のカラオケ楽曲を特定するための楽曲コードと同じ形式で固有の楽曲コードが紐付けされ、一般のカラオケ楽曲のように、その楽曲コードから利用者が替え歌を直接指定でき、また、特別な仕組みや機構が必要なく、当該替え歌のカラオケ楽曲を通常操作と同じように操作して演奏でき、さらに、利用者ＩＤが認識され、当該利用者が作成した替え歌歌詞表示データが登録されていた場合に限って演奏可能となるため、任意のカラオケ演奏端末にて、替え歌の作成者が不在な状況下での、当該作成者以外の利用者が、その替え歌のカラオケ楽曲を安易に演奏させてしまうようなことがない。
【図面の簡単な説明】
【００３５】
【図１】本発明のカラオケシステムのネットワーク構成図。
【図２】本発明のカラオケシステムを構成するカラオケ演奏端末のブロック構成図。
【図３】本発明のカラオケシステムを構成するカラオケホスト装置のブロック構成図。
【図４】替え歌楽曲管理テーブルの概念的構成図。
【図５】検索表示画面と楽曲コードによる演奏指示画面。
【図６】別の実施例における検索表示画面と楽曲コードによる演奏指示画面。
【図７】さらに別の実施例における検索画面表示画面。
【図８】検索結果表示画面と替え歌楽曲の属性表示および演奏指示画面。
【符号の説明】
【００３６】
１  替え歌演奏機能を有するカラオケシステム
１０，４１  中央制御手段
１１，４３  ハードディスク
３３  歌詞表示データ
３５，４４ａ  利用者ＩＤ
３６，４４ｂ  楽曲コード
３７  ＩＣカード読み取り／書き込み装置
４４  替え歌情報管理ファイル
４４ｃ  替え歌歌詞表示データ
Ｈ  カラオケホスト装置
Ｐ  カラオケ演奏端末
Ｎ  ネットワーク通信回線
Ｓ  ＷＷＷサーバ
Ｔ  替え歌楽曲管理テーブル
ｆ１  利用者ＩＤフィールド
ｆ２  元歌楽曲コードフィールド
ｆ３  替歌楽曲コードフィールド
ｆ４  設定フラグフィールド
ｆ５  設定日時フィールド
ＩＮ  インターネット回線
ＰＣ  パソコン端末
ＭＰ  モバイル端末
【図１】
2005345559.tif 000003
【図２】
2005345559.tif 000004
【図３】
2005345559.tif 000005
【図４】
2005345559.tif 000006
【図５】
2005345559.tif 000007
【図６】
2005345559.tif 000008
【図７】
2005345559.tif 000009
【図８】
2005345559.tif 000010